(57)【要約】【課題】沈胴式のレンズ鏡筒において、小型性を損ねることなく、組み立て作業性を向上させると共にレンズを高精度に光軸方向に進退させることができるようにする。【解決手段】鏡筒地板１の軸受部１ｂで保持されたガイド軸５のガイド軸突出部５ａを、固定筒２の位置規制孔２ａに嵌合して位置規制する。【選択図】図３
2010181551.tif 000002
【特許請求の範囲】
【請求項１】
撮像素子を保持した鏡筒地板と、前記鏡筒地板に固定されて光軸方向に軸心をもつ固定筒と、前記固定筒の中で光軸方向に進退可能に配置されたレンズ枠と、前記レンズ枠を光軸方向に進退可能に保持し前記鏡筒地板によって保持されたガイド軸を備えたレンズ鏡筒において、
前記鏡筒地板が前記ガイド軸を前記レンズ枠の摺動領域の両端部に形成された軸受部で保持し、前記鏡筒地板の一方の軸受部から突出した前記ガイド軸の突出部が、前記固定筒により位置規制されることを特徴とするレンズ鏡筒。
【請求項２】
撮像素子を保持した鏡筒地板と、前記鏡筒地板に固定されて光軸方向に軸心をもつ固定筒と、前記固定筒の中で光軸方向に進退可能に配置されたレンズ枠と、前記レンズ枠を光軸方向に進退可能に保持し前記鏡筒地板によって保持されたガイド軸を備えたレンズ鏡筒において、
前記鏡筒地板が前記ガイド軸を前記レンズ枠の摺動領域の両端部に形成された軸受部で保持し、前記鏡筒地板の一方の軸受部に形成された突出部が、前記固定筒により位置規制されることを特徴とするレンズ鏡筒。
【請求項３】
前記ガイド軸は、光軸に対して前記固定筒よりも外側に配置されていることを特徴とする請求項１に記載のレンズ鏡筒。
【請求項４】
前記ガイド軸は、光軸に対して前記固定筒よりも外側に配置されていることを特徴とする請求項２に記載のレンズ鏡筒。
【請求項５】
前記鏡筒地板の一方の軸受部は、前記撮像素子から離れた位置に位置する軸受部であることを特徴とする請求項１に記載のレンズ鏡筒。
【請求項６】
前記鏡筒地板の一方の軸受部は、前記撮像素子から離れた位置に位置する軸受部であることを特徴とする請求項２に記載のレンズ鏡筒。
【発明の詳細な説明】
【技術分野】
【０００１】
本発明は、レンズを光軸方向に進退可能に保持する沈胴式のレンズ鏡筒に関する。
【背景技術】
【０００２】
近年、デジタルスチルカメラ、デジタルビデオカメラ等の撮像装置においては、携帯性や使い勝手の向上が求められ、装置全体の小型化が図られている。
【０００３】
また、撮像装置に用いられる沈胴式等のレンズ鏡筒の小型化も進められている。この場合、高画質化・高画素化の要望が非常に強く、光学系の構成部材であるレンズを小型化することなく沈胴式等のレンズ鏡筒を小型化することが求められている。なお、沈胴式のレンズ鏡筒については、特許文献１、特許文献２に開示されている。
【０００４】
これら沈胴式のレンズ鏡筒においては、小型化のために、レンズが光軸方向に進退するようにガイドするガイド軸が、固定筒の外側に配置されるものが増えてきている。この場合、レンズを高精度に光軸方向に進退させるためには、ガイド軸を高精度に位置決めすると共に、固定する必要がある。
【先行技術文献】
【特許文献】
【０００５】
【特許文献１】特開２００８−１８５７８６号公報
【特許文献２】特開２００６−２４３５６９号公報
【発明の概要】
【発明が解決しようとする課題】
【０００６】
ところが、特許文献１に係るレンズ鏡筒においては、鏡筒地板と固定筒でガイド軸を狭持しているため、ガイド軸の軸受が２つの部品に存在している。このため、ガイド軸の位置決め精度が悪くなり、レンズを高精度に光軸方向に進退させることが困難であった。また、特許文献１に係るレンズ鏡筒においては、鏡筒地板に固定筒を組み込むまではガイド軸が保持されないため、組み立て作業性も悪くなっていた。
【０００７】
また、特許文献２に係るレンズ鏡筒においては、鏡筒地板だけでガイド軸が保持されている。しかし、特許文献２に係るレンズ鏡筒では、ガイド軸が固定筒の外側に配置されているため、鏡筒地板の軸受部の強度が低下していた。これにより、ガイド軸の位置決め精度が悪くなり、レンズを高精度に光軸方向に進退させることが困難となっていた。
【０００８】
本発明は、このような背景の下になされたもので、その目的は、沈胴式のレンズ鏡筒において、小型性を損ねることなく、組み立て作業性を向上させると共にレンズを高精度に光軸方向に進退させることができるようにすることにある。
【課題を解決するための手段】
【０００９】
上記目的を達成するため、本発明に係るレンズ鏡筒は、撮像素子を保持した鏡筒地板と、前記鏡筒地板に固定されて光軸方向に軸心をもつ固定筒と、前記固定筒の中で光軸方向に進退可能に配置されたレンズ枠と、前記レンズ枠を光軸方向に進退可能に保持し前記鏡筒地板によって保持されたガイド軸を備えたレンズ鏡筒において、前記鏡筒地板が前記ガイド軸を前記レンズ枠の摺動領域の両端部に形成された軸受部で保持し、前記鏡筒地板の一方の軸受部から突出した前記ガイド軸の突出部が、前記固定筒により位置規制されることを特徴とする。
【発明の効果】
【００１０】
本発明によれば、沈胴式のレンズ鏡筒において、小型性を損ねることなく、組み立て作業性を向上させると共にレンズを高精度に光軸方向に進退させることが可能となる。
【００１１】
具体的には、ガイド軸がレンズ枠の摺動領域の両端で鏡筒地板に保持されている。これにより、ガイド軸が単一の部品で保持されることなり、組み立て作業性が向上する。
【００１２】
また、鏡筒地板のガイド軸を保持した上記の軸受部から突出した突出部が固定筒により位置規制されている、鏡筒地板の軸受部の変形が抑えられる。これにより、ガイド軸の位置精度が悪くならず、フォーカスレンズを高精度に光軸方向に進退させることが可能となる。
【図面の簡単な説明】
【００１３】
【図１】本発明の第１の実施の形態に係る沈胴式のレンズ鏡筒の一部を示す斜視図である。
【図２】図１のレンズ鏡筒の一部を拡大した拡大図である。
【図３】図１のレンズ鏡筒のガイド軸の保持状態を示す断面図である。
【図４】第２の実施の形態に係る沈胴式のレンズ鏡筒の一部（ガイド軸の近傍）を示す図である。
【図５】図４に対応する部分の断面図である。
【発明を実施するための形態】
【００１４】
以下、本発明を実施するための形態を図面に基づいて説明する。
【００１５】
［第１の実施の形態］  
図１は、本発明の第１の実施の形態に係る沈胴式のレンズ鏡筒の一部を示す斜視図である。図２は、図１のレンズ鏡筒の一部を拡大した拡大図である。図３は、図１のレンズ鏡筒のガイド軸の保持状態を示す断面図である。なお、図１〜図３に示したレンズ鏡筒は、スチルカメラに搭載することを想定したものである（後述する第２の実施の形態に係る図４、図５も同様）。
【００１６】
図１〜図３において、１は撮像素子（図示省略）を保持した鏡筒地板、２は鏡筒地板１に固定され、光軸方向に軸心を持った固定筒、３は光軸方向に進退するフォーカスレンズ、４はフォーカスレンズ３を保持するレンズ枠である。５はレンズ枠４を光軸方向に進退可能に保持するガイド軸であり、光軸に対して固定筒２の外側、厳密には固定筒２の本体（筒部分）の外側に配置されている。６はレンズ枠４を光軸方向に進退させるフォーカスモータユニットである。
【００１７】
上記のように、ガイド軸５を固定筒２の外側に配置したので、従来、固定筒２の内側に配置される場合のガイド軸５やレンズ枠４の摺動部４ａなどのスペースに他の部品を配備することができ、レンズ鏡筒の小型化を図ることが可能となる。
【００１８】
図３に示したように、ガイド軸５は、レンズ枠４の摺動部４ａの摺動領域の両端部で鏡筒地板１の軸受部１ａと軸受部１ｂで保持されている。換言すれば、ガイド軸５は、鏡筒地板１という１つの部品で保持されている。
【００１９】
このため、ガイド軸５は、鏡筒地板１だけでその位置が決まり、高精度に位置決めできる可能性が高くなるだけでなく、後述するように、レンズ鏡筒の組み立て作業性も向上する。
【００２０】
なお、撮像素子（図示省略）は、図３において軸受部１ａの右側の位置で鏡筒地板１により保持され、軸受部１ｂの方が軸受部１ａよりも撮像素子から離れた位置に位置している。
【００２１】
レンズ枠４の摺動部４ａには、鏡筒地板１により保持されたガイド軸５が嵌合している。これにより、レンズ枠４、すなわち、フォーカスレンズ３は、光軸方向に進退可能に鏡筒地板１により保持されることとなる。
【００２２】
この場合、レンズ枠４の駆動源としては、フォーカスモータユニット６が用いられる。すなわち、フォーカスモータユニット６は、鏡筒地板１にネジもしくは接着剤で固定され、その駆動力を送りネジ機構（図示省略）を介してレンズ枠４に伝達することで、レンズ枠４を光軸方向に進退させる。なお、上記の送りネジ機構を構成するナットは、レンズ枠４、フォーカスモータユニット６のどちらに保持してもよい。
【００２３】
鏡筒地板１にレンズ枠４、ガイド軸５、フォーカスモータユニット６を組み込んだ状態で、フォーカスレンズ３を光軸方向に進退させる機構が完成するため、組み立て作業性が向上し、この段階で動作確認を行うことも可能となる。
【００２４】
この後、他のレンズ群やレンズ駆動機構が組み込まれた固定筒２を、上記のフォーカス機構が組み込まれた鏡筒地板１にネジ又は接着剤で固定する。
【００２５】
この場合、図３に示したように、ガイド軸５は、鏡筒地板１の一方の軸受部１ｂ、すなわち、撮像素子から離れた側に位置する軸受部１ｂにおいては、貫通状態で保持され、軸受部１ｂから突出した部分であるガイド軸突出部５ａが存在している。このガイド軸突出部５ａが固定筒２の位置規制孔２ａと嵌合することにより、ガイド軸５の位置が規制されることとなる。
【００２６】
これにより、鏡筒地板１の軸受部（特に軸受部１ｂ）の変形が抑制され、撮像素子に対するガイド軸５の倒れが低減されてガイド軸５の位置精度が高くなる。これにより、光軸方向と直交する面に対するフォーカスレンズ３の倒れを低減することができ、フォーカスレンズ３を高精度に光軸方向に進退させることが可能となる。
【００２７】
［第２の実施の形態］
第１の実施の形態では、ガイド軸５の突出部５ａを鏡筒地板１の軸受部１ｂから突出させて、固定筒２の位置規制孔２ａに嵌合させることで、鏡筒地板１の軸受部１ｂの変形を抑制し、ガイド軸５の倒れ等を低減していた。
【００２８】
これに対し、第２の実施の形態では、ガイド軸５を鏡筒地板１の軸受部１ｂから突出させることなく、鏡筒地板１の軸受部１ｂの変形を抑制し、ガイド軸５の倒れ等を低減している。
【００２９】
すなわち、第２の実施の形態では、図４、図５に示したように、鏡筒地板１の軸受部１ｂに鏡筒地板１の位置を規制するための位置規制軸１ｃを形成している。そして、この位置規制軸１ｃを直接、固定筒２の位置規制孔２ａに嵌合させている。
【００３０】
なお、第１の実施の形態における位置規制孔２ａと第２の実施の形態における位置規制孔２ａは、その形成位置が異なる場合も考えられるが、ここでは、便宜上、同一の符号を付している。
【００３１】
この第２の実施の形態においても、第１の実施の形態と全く同様に、鏡筒地板１の軸受部（特に軸受部１ｂ）の変形が抑制され、撮像素子に対するガイド軸５の倒れが低減されてガイド軸５の位置精度が高くなる。これにより、光軸方向と直交する面に対するフォーカスレンズ３の倒れを低減することができ、フォーカスレンズ３を高精度に光軸方向に進退させることが可能となる。
【００３２】
また、第２の実施の形態においても、第１の実施の形態と同様に、ガイド軸５は、単一の部品である鏡筒地板１だけで保持され、固定筒２の外側に配置されているので、組み立て作業性が良く、小型化が可能なレンズ鏡筒となっている。
【００３３】
なお、本発明は、上記の第１、第２の実施の形態に限定されることなく、例えばこれら実施の形態を組み合わせることも可能である。
【００３４】
具体的には、ガイド軸５の突出部５ａを鏡筒地板１の軸受部１ｂから突出させて、固定筒２の位置規制孔２ａに嵌合させると共に、鏡筒地板１の軸受部１ｂに形成した位置規制軸１ｃを直接、固定筒２に別途形成した位置規制孔に嵌合させることが考えられる。
【００３５】
また、第１、第２の実施の形態に係るレンズ鏡筒は、スチルカメラだけでなく、他のデジタルカメラ、デジタルビデオカメラ等の撮像装置に適用することも可能である。
【符号の説明】
【００３６】
１…鏡筒地板
１ａ，１ｂ…鏡筒地板の軸受部
１ｃ…鏡筒地板の位置規制軸
２…固定筒
２ａ…固定筒の位置規制孔
３…フォーカスレンズ
４…レンズ枠
５…ガイド軸
５ａ…ガイド軸突出部
【図１】
2010181551.tif 000003
【図２】
2010181551.tif 000004
【図３】
2010181551.tif 000005
【図４】
2010181551.tif 000006
【図５】
2010181551.tif 000007